(57)【特許請求の範囲】
【請求項１】
マルチチャンネルの信号の再生方法において、
聴取者、センターチャンネルスピーカ及び他のチャンネルスピーカの位置によって、センターチャンネル信号のディレー値を算出するステップと、
前記算出されたディレー値によって、センターチャンネル信号の時間遅延を調節するステップと、
前記時間遅延の調節されたセンターチャンネル信号を他のチャンネル信号にミキシングするステップと、を含み、
前記ディレー値はセンターチャンネルの音像が前記センターチャンネルスピーカと他のチャンネルスピーカとの中心から移動した距離によって算出されるむことを特徴とするマルチチャンネル信号の再生方法。
【請求項２】
前記信号ディレー値の算出ステップは、
前記センターチャンネルスピーカと他のチャンネルスピーカとの間の信号遅延及び信号音圧レベル差と、センターチャンネルの音像が二つのスピーカの中心から移動した距離とを計算し、
前記計算された音像移動距離による二つのチャンネルスピーカ間の音圧レベル差を臨界値に設定し、
前記臨界値内で聴取者と前記二つのスピーカとの距離差を信号ディレー値に変換することを特徴とする請求項１に記載のマルチチャンネル信号の再生方法。
【請求項３】
前記聴取者と前記二つのチャンネルスピーカとの距離差は、聴取者とセンターチャンネルスピーカとの距離から、聴取者と他のチャンネルスピーカとの距離を差減する値であることを特徴とする請求項２に記載のマルチチャンネル信号の再生方法。
【請求項４】
前記時間遅延の調節されたセンターチャンネルの信号に所定のゲイン値を付与するステップをさらに含むことを特徴とする請求項１に記載のマルチチャンネル信号の再生方法。
【請求項５】
前記チャンネルのミキシングステップは、
前記センターチャンネル信号を所定のディレー値により時間遅延し、
時間遅延されたセンターチャンネル信号を左右チャンネル信号にミキシングすることを特徴とする請求項１に記載のマルチチャンネル信号の再生方法。
【請求項６】
少なくともセンターチャンネルを備えたマルチチャンネル信号の再生方法において、
センターチャンネルスピーカと他のチャンネルスピーカとの間の信号遅延及び音圧レベル差と、センターチャンネルの音像が前記センターチャンネルスピーカと他のチャンネルスピーカとの中心から移動した距離差とによって、センターチャンネルの信号のディレー値を設定するステップと、
前記センターチャンネルの信号に、前記ディレー値によって時間遅延し、所定のゲイン値を付与して左右フロントチャンネルとミキシングするステップと、
前記ステップで時間遅延されたセンターチャンネルの信号に、所定のディレー値によって時間遅延し、所定のゲイン値を付与して左右サラウンドチャンネルとミキシングするステップと、を含むことを特徴とするマルチチャンネル信号の再生方法。
【請求項７】
マルチチャンネル信号再生装置において、
聴取者、センターチャンネルスピーカ及び他のチャンネルスピーカ間の位置によって算出されたセンターチャンネル信号のディレー値によって、センターチャンネル信号を時間遅延するディレー部と、
前記ディレー部で時間遅延されたセンターチャンネル信号に所定のゲイン値を付与して、センターチャンネル信号のゲインを調節するミキシングゲイン部と、
前記時間遅延及びゲイン調節されたセンターチャンネル信号を他のチャンネル信号にミキシングするミキシング部と、を備え、
前記ディレー値はセンターチャンネルの音像が前記センターチャンネルスピーカと他のチャンネルスピーカとの中心から移動した距離によって算出される、
ことを特徴とするマルチチャンネル信号再生装置。
【請求項８】
前記ディレー部のディレー値は、聴取者とセンターチャンネルスピーカとの距離から、聴取者と他のチャンネルスピーカとの距離を差減する値を時間差に変換した値であることを特徴とする請求項７に記載のマルチチャンネル信号再生装置。
【請求項９】
マルチチャンネルスピーカシステムにおいて、
複数個のチャンネルオーディオビットストリームを複数個のチャンネルのオーディオ信号に分離するデコーダと、
聴取者の位置及び各チャンネルのスピーカの位置を認識し、聴取者、センターチャンネルスピーカ及び他のチャンネルスピーカ間の位置によって、センターチャンネル信号のディレー値を算出する制御部と、
前記制御部で算出されたディレー値によって、センターチャンネル信号の時間遅延を調整し、その時間遅延の調整されたセンターチャンネル信号に所定のミキシングゲイン値を付与して、前記デコーダで分離された他のチャンネル信号とミキシングするミキシング処理部と、を備え、
前記ディレー値はセンターチャンネルの音像が前記センターチャンネルスピーカと他のチャンネルスピーカとの中心から移動した距離によって算出される、
ことを特徴とするマルチチャンネルスピーカシステム。
【請求項１０】
前記ミキシング処理部は
前記ディレー値によって、前記センターチャンネの信号を時間遅延するディレー部と、
前記ディレー部で時間遅延されたセンターチャンネル信号に所定のゲイン値を付与して、センターチャンネル信号のゲインを調節するミキシングゲイン部と、
前記時間遅延及びゲイン調節されたセンターチャンネル信号を他のチャンネル信号にミキシングするミキシング部と、を備えることを特徴とする請求項９に記載のマルチチャンネルスピーカシステム。
【請求項１１】
前記ディレー部は、
前記スピーカの位置による第１ディレー値を反映して、所定周期の時間の間にセンターチャンネル信号をディレーする第１ディレー部と、
前記スピーカの位置による第２ディレー値を反映して、前記第１ディレー部で遅延されるセンターチャンネル信号をディレーする第２ディレー部と、を備えることを特徴とする請求項１０に記載のマルチチャンネルスピーカシステム。
【請求項１２】
前記ミキシングゲイン部は、
前記第１ディレー部でディレーされたセンターチャンネル信号に所定のゲイン値を提供して、左右チャンネル信号とセンターチャンネル信号との間にミキシングを行う第１ミキシングゲイン部と、
前記第２ディレー部でディレーされたセンターチャンネル信号に所定のゲイン値を提供して、左右サラウンドチャンネル信号とセンターチャンネル信号との間にミキシングを行う第２ミキシングゲイン部と、を備えることを特徴とする請求項１１に記載のマルチチャンネルスピーカシステム。
【請求項１３】
前記左チャンネル信号、右チャンネル信号、センターチャンネル信号、左サラウンドチャンネル信号及び右サラウンドチャンネル信号のゲインをそれぞれ調整する第１、第２、第３、第４、第５ゲイン部をさらに備えることを特徴とする請求項１２に記載のマルチチャンネルスピーカシステム。
【請求項１４】
前記ミキシング部は、
前記第１ミキシングゲイン部により出力されたセンターチャンネル信号と、前記第１ゲイン部により出力された左チャンネル信号とをミキシングする第１ミキシング部と、
前記第１ミキシングゲイン部により出力されたセンターチャンネル信号と、前記第３ゲイン部により出力された右チャンネル信号とをミキシングする第２ミキシング部と、
前記第２ミキシングゲイン部により出力されたセンターチャンネル信号と、前記第４ゲイン部により出力された左サラウンドセンターチャンネル信号とをミキシングする第３ミキシング部と、
前記第２ミキシングゲイン部により出力されたセンターチャンネル信号と、前記第５ゲイン部により出力された右サラウンドセンターチャンネル信号とをミキシングする第４ミキシング部と、を備えることを特徴とする請求項１３に記載のマルチチャンネルスピーカシステム。
【発明の詳細な説明】
【技術分野】
【０００１】
本発明は、マルチチャンネルスピーカシステムに係り、特にホームシアターシステムで、センターチャンネルの信号を左右チャンネルにミキシングするマルチチャンネル信号の再生方法及び装置に関する。
【背景技術】
【０００２】
最近には、ホームシアターシステムが開発されて市場に販売されている。ホームシアターシステムは、ＤＶＤ、ＨＤＤ、テープのような多様な種類の記録媒体に記録されたビデオとオーディオとを読み取って再生すると共に、記録媒体から再生されるビデオを大画面のテレビジョンなどに出力する。
【０００３】
また、ホームシアターシステムは、記録媒体から再生されるオーディオ、例えばＤＶＤから読み取って再生される５．１チャンネルのマルチチャンネルオーディオを、異なる位置に分散して設置された６個のスピーカを通じて各チャンネル別に分離して出力する。
【０００４】
また、ホームシアターシステムは、左右チャンネルのオーディオ信号を単純にミキシングして、センターチャンネルのオーディオ信号として出力する。
【０００５】
しかし、ホームシアターシステムは、センターチャンネルの音量、スピーカの位置、スピーカユニット間の差などにより、台詞が聴取者に明確に伝達されない場合が発生する。
【０００６】
図１は、通常的なセンター音のミキシング方式で、聴取者の位置によって表れる時間遅延信号の効果を説明した概念図である。
【０００７】
一般的なステレオシステムで、二つのスピーカで周波数と音圧とが同じ音を同時に再生すれば、人間の耳には二つの音が中央から出るように感じられる。このように、音像がスピーカの中央に正確に位置することを‘音像が定位された’と表現するが、音像の定位は、左右スピーカから聴取者までのレベル差、位相差、時間差により決定される。同じ音が時間間隔をおいて異なる方向で耳に入る場合、遅く入った音は、耳に先に到着した音によりマスクされる。したがって、聴取者は、耳に先に到着した音源方向で音源を聞く。かかる現象は、“優先効果”、“ハース効果”、“第１波面の法則”などと呼ばれる。
【０００８】
図１に示すように、二つのスピーカＳＬ、ＳＲを左右両側に配置し、その二つのスピーカの前面中央に聴取者を位置させる。そして、左側スピーカＳＬには、音響信号を直接入力させ、右側スピーカＳＲには、時間的にτｄほど遅延させた音響を入力させる。遅延時間差τｄ＝０ｍｓであるとき、すなわち左右側信号が聴取者の耳に同時に達するとき、音像が二つのスピーカＳＬ、ＳＲの中央Ａに位置する。遅延時間差τｄが次第に長くなるにつれて、左側信号が右側信号より聴取者の耳に先に達し、音像は次第に左側に移動する。この音像の移動程度は、音源の種類や聴取者の位置によって少しずつ変化するが、一般的に１ｍｓの時間差までは、音像がセンターからスピーカ側に遅延時間差τｄに比例して移動し、１ないし３０ｍｓの時間差範囲では、音源がスピーカ一つにのみ出力されるように聞かれる。
【０００９】
したがって、既存のセンター音のミキシング方式は、聴取者の位置が一つのスピーカ方向に近いとき、ミキシングしたセンター音が聴取者に近く位置したスピーカでのみ聞かれるという問題が発生する。
【発明の開示】
【発明が解決しようとする課題】
【００１０】
本発明が解決しようとする課題は、ホームシアターシステムで、センターチャンネル信号に対して各チャンネルのスピーカ位置による時間遅延を反映して、左右チャンネルにミキシングするマルチチャンネル信号の再生方法及び装置を提供するところにある。
【００１１】
本発明が解決しようとする他の課題は、マルチチャンネル信号の再生方法及び装置が適用されたマルチチャンネルスピーカシステムを提供するところにある。
【課題を解決するための手段】
【００１２】
前記課題を解決するために、本発明は、マルチチャンネルのオーディオ信号の再生方法において、聴取者、センターチャンネルスピーカ及び他のチャンネルスピーカの位置によって、センターチャンネル信号のディレー値を算出するステップと、前記算出されたディレー値によって、センターチャンネル信号の時間遅延を調節するステップと、前記時間遅延の調節されたセンターチャンネル信号を他のチャンネル信号にミキシングするステップとを含むことを特徴とする。
【００１３】
前記他の課題を解決するために、本発明は、マルチチャンネル信号再生装置において、前記聴取者、センターチャンネルスピーカ及び他のチャンネルスピーカ間の位置によって算出されたセンターチャンネル信号のディレー値によって、前記センターチャンネル信号を時間遅延するディレー部と、前記ディレー部で時間遅延されたセンターチャンネル信号に所定のゲイン値を付与して、センターチャンネル信号のゲインを調節するミキシングゲイン部と、前記時間遅延及びゲイン調節されたセンターチャンネル信号を他のチャンネル信号にミキシングするミキシング部とを備えることを特徴とする。
【発明の効果】
【００１４】
本発明による新たなセンターチャンネルのミキシング方法を使用すれば、マルチチャンネルの効果を半減させずにも、センタースピーカの劣悪な位置やスピーカ間のユニット差による音色異質感を解消し、台詞の明瞭度を向上させる。また、本発明は、一般的な住居環境でボリュームを無制限に高められない場合にさらに効果的である。そして、本発明を適用して再生される音量は、聴取者の耳に先に達した音と遅延された音とをエネルギー的に加算したものと同じである。
【発明を実施するための最良の形態】
【００１５】
以下、添付された図面を参照して、本発明の望ましい実施形態を説明する。
【００１６】
図２は、本発明によるマルチチャンネル信号の再生方法の概念図である。図２に示すように、５チャンネルのオーディオ信号が入力されると仮定すれば、聴取者を中心に左チャンネルＬ、右チャンネルＲ、センターチャンネルＣ、左サラウンドチャンネルＳＬ、右サラウンドチャンネルＳＲの５個のスピーカが位置する。
【００１７】
このとき、センターチャンネルＣのオーディオ信号は、左チャンネルＬ及び右チャンネルＲのオーディオ信号とミキシングされ、また、左サラウンドチャンネルＳＬ及び右サラウンドチャンネルＳＲのオーディオ信号とミキシングされる。
【００１８】
図３は、本発明によるマルチチャンネルスピーカシステムのブロック図である。図３のマルチチャンネルスピーカシステムは、デコーダ３１０、制御部３２０及びミキシング処理部３３０から構成される。
【００１９】
デコーダ３１０は、信号再生器から入力されるＮ個のチャンネルオーディオビットストリームをＮ個のチャンネル、例えば左チャンネルＬ、右チャンネルＲ、センターチャンネルＣ、左サラウンドチャンネルＳＬ及び右サラウンドチャンネルＳＲのオーディオ信号に分離する。
【００２０】
制御部３２０は、聴取者の位置及び各チャンネルのスピーカの位置を認識し、聴取者、センターチャンネルスピーカ及び他のチャンネルスピーカ間の位置によって、センターチャンネル信号のディレー値を算出する。位置認識方法は、周知の技術を使用可能であるので、本発明では特定な方法に限定しない。一例として、カメラや超音波センサーを使用して聴取者または各チャンネルのスピーカ位置を認識できる。そして、ディレー値の算出処理は、センターチャンネルスピーカと他のチャンネルスピーカとの間の信号遅延及び信号音圧レベル差を計算し、センターチャンネルの音像が二つのスピーカの中心から移動した距離を計算し、計算された音像移動距離による二つのチャンネルスピーカ間の音圧レベル差を臨界値に設定し、臨界値内で聴取者と二つのスピーカとの距離をディレー値に変換する。このとき、ディレー値は、聴取者の聴取位置変更に関係なくセンターチャンネルの信号をセンタースピーカの位置に定位可能なパラメータである。
【００２１】
ミキシング処理部３３０は、制御部３２０で算出されたディレー値によって、デコーダ３１０で分離されたセンターチャンネル信号の時間遅延を調整し、その時間遅延の調整されたセンターチャンネルの信号に既定のミキシングゲイン値を付与して、デコーダ３１０で分離された他のチャンネル信号とミキシングする。
【００２２】
図４は、図３のミキシング処理部３３０の一実施形態を示す図である。図４に示すように、第１、第２、第３、第４及び第５ゲイン部４１１，４１２，４１３，４１４，４１５は、左チャンネル、右チャンネル、センターチャンネル、左サラウンドチャンネル、右サラウンドチャンネル信号のゲインを調節する。すなわち、左チャンネルＬ信号のゲインは、第１ゲイン部４１１のゲイン値ＧＬを通じて変化する。センターチャンネルＣ信号のゲインは、第２ゲイン部４１２のゲイン値ＧＣを通じて変化する。右チャンネルＲ信号のゲインは、第３ゲイン部４１３のゲイン値ＧＲを通じて変化する。左サラウンドチャンネルＳＬ信号のゲインは、第４ゲイン部４１４のゲイン値ＧＳＬを通じて変化する。右サラウンドチャンネルＳＲ信号のゲインは、第５ゲイン部４１５のゲイン値ＧＳＲを通じて変化する。
【００２３】
第１ディレー部４２１は、センターチャンネル信号に対してスピーカの位置によるディレー値Ｄ１を反映して、所定周期の時間遅延させる。
【００２４】
第１ミキシングゲイン部４４１は、センターチャンネル信号と左右チャンネル信号とのミキシングのために、第１ディレー部４２１でディレーされたセンターチャンネル信号に所定のゲイン値Ｃ１を付与する。
【００２５】
第２ディレー部４３１は、第１ディレー部４２１でディレーされたセンターチャンネル信号に対してスピーカの位置によるディレー値Ｄ２を反映して、所定周期の時間遅延させる。
【００２６】
第２ミキシングゲイン部４４２は、センターチャンネル信号と左右サラウンドチャンネル信号とのミキシングのために、第２ディレー部４３１でディレーされたセンターチャンネル信号に所定のゲイン値Ｃ２を付与する。
【００２７】
第１ミキシング部４６２は、第１ゲイン部４１１で出力される左チャンネル信号と、第１ミキシングゲイン部４４１で出力されるセンターチャンネル信号とをミキシングする。
【００２８】
第２ミキシング部４６４は、第３ゲイン部４１３で出力される右チャンネル信号と、第１ミキシングゲイン部４４１で出力されるセンターチャンネル信号とをミキシングする。
【００２９】
第３ミキシング部４６６は、第４ゲイン部４１４で出力される左サラウンドチャンネル信号と、第２ミキシングゲイン部４４２で出力されるセンターチャンネル信号とをミキシングする。
【００３０】
第４ミキシング部４６８は、第５ゲイン部４１５で出力される右サラウンドチャンネル信号と、第２ミキシングゲイン部４４２で出力されるセンターチャンネル信号とをミキシングする。
【００３１】
図５は、通常的なハース効果を数式で表したグラフである。図５に示すように、ｘ軸は、タイムディレーであり、ｙ軸は、ボリュームレベル差である。したがって、図５のグラフは、タイムディレーとボリュームレベル差との関係を表しており、また、タイムディレーとボリュームレベル差との関係を時間遅延６０ｍｓ以内で数式的にモデリングできる。したがって、モデリングにより算出される音圧レベル差Ｐｄは、式（１）のように表す。
【００３２】
Ｐｄ＝１５．１（１−ｅ−０．１８２τｄ）        （１）
例えば、図５のグラフを見れば、タイムディレーが５ｍｓであれば、ボリュームレベル差は７．５ｄＢに維持されねばならない。
【００３３】
図６Ａ及び図６Ｂは、右スピーカ及びセンタースピーカを使用するとき、聴取者の位置による音像移動及び音像定位を計算するための配置図である。
【００３４】
図６Ａ及び図６Ｂを参照して、図４のディレー値及びゲイン値を設定するステップを説明する。
【００３５】
まず、聴取者が前面中央（センタースピーカの位置）から右側に移動した場合、センタースピーカのサウンドイメージは、図６Ａのように次第に移動する。聴取者と右側スピーカとの距離ｄＲ及び聴取者とセンタースピーカとの距離ｄＣは、それぞれ式（２）及び式（３）で表す。ここで、ｄｌｉｓｔｎｅｒは、聴取者の移動距離であり、Ｈは、聴取者とスピーカとの距離であり、Ｄは、スピーカ間の距離である。
【００３６】
【数１】
0005410682.tif 000002
このとき、距離差ｄｄｉｆｆは、ｄＲ及びｄＣを利用して式（４）で表す。
【００３７】
ｄｄｉｆｆ＝ｄＣ−ｄＲ              （４）
また、距離差ｄｄｉｆｆを時間差ｔｄｉｆｆに変換すれば、式（５）のように表す。ここで、ｖｓは、音波の伝播速度であって、約３４０ｍ／ｓである。
【００３８】
ｔｄｉｆｆ＝ｄｄｉｆｆ／ｖｓ            （５）
遅延時間とボリュームレベルとの関係を時間差６０ｍｓ以内で数式的にモデリングすれば、式（１）で与えられ、聴取者と左右スピーカとの距離比による音圧レベル差ＰＤは、式（６）のように与えられる。
【００３９】
ＰＤ＝２０  ｌｏｇ（ｄＲ／ｄＣ）        （６）
したがって、左右スピーカ間の全体音圧レベル差Ｐｔは、式（７）のように表す。このとき、ＰＨは、信号のレベル比による音圧レベル差である。
【００４０】
Ｐｔ＝ＰＨ＋ＰＤ        （７）
一方、線形スケールを利用して左右スピーカの音圧レベル差ｋを求めれば、式（８）で表す。
【００４１】
ｋ＝１０Ｐｔ／２０        （８）
図６Ｂに示すように、聴取位置で聴取者の両側耳の音圧レベルが同じである場合、聴取点から見た二つのスピーカ間の角度の中央に音像が存在する。
【００４２】
音像が存在する二つのスピーカ間の角度θ´ｓは、式（９）のように表す。
【００４３】
【数２】
0005410682.tif 000003
また、図６Ｂにおいて、二つの左右スピーカの中心から音像が移動した距離ｄ１を求めるために必要な角θｘ，θｙ，θｚは、式（１０）、式（１１）、式（１２）で表す。
【００４４】
【数３】
0005410682.tif 000004
θｚ＝１８０−（１８０−θｙ）−θ´ｄ        （１２）
したがって、二つのスピーカの中心から音像が移動した距離ｄ１は、式（１３）のように求められる。
【００４５】
【数４】
0005410682.tif 000005
音像が存在する二つのスピーカ間の角度θ´ｓから左右スピーカの音圧レベル差ｋを考慮した聴取位置での音像方向θ´ｄは、式（１４）で表す。
【００４６】
【数５】
0005410682.tif 000006
聴取位置での音像方向θ´ｄにより音像が距離ｄ１を基準として距離ｄ２に移動すれば、聴取者の位置によるセンター音像が二つのスピーカの中心から移動した距離ｄｔは、式（１５）で表す。
【００４７】
ｄｔ＝ｄ１＋ｄ２        （１５）
もし、他のチャンネル信号にミキシングされるセンターチャンネル信号レベルがセンタースピーカで再生される信号レベルより低いか、または同じであれば、センタースピーカの音像移動を防止するために式（４）で表した距離差ｄｄｉｆｆ値が十分な音の値を有するようにする。
【００４８】
一般的なホームシアターシステムの聴取環境を考慮して、二つのスピーカ間の距離差が５ｍ以内にあると仮定し、ミキシングされるセンターチャンネル信号のレベルがセンタースピーカで再生される信号のレベルより低ければ、センター音の音像移動は、図５のようなハース効果に基づいて６ｍｓ以上の時間差により防止できる。ここで、音像移動距離は、式（５）を利用して時間差ｔｄｉｆｆで表す。したがって、センター音の音像移動を防止するために、図４に示した第１ディレー部４２１のディレー値Ｄ１は、６ｍｓ以上に設定できる。
【００４９】
また、サラウンドチャンネル、センターチャンネル及びフロントチャンネル間のミキシングによる音像定位を同じ方法で解析すれば、サラウンドチャンネルもフロントチャンネルと約５ｍｓの時間差が必要である。したがって、図４に示した第２ディレー部４３１のディレー値Ｄ２は、ディレー値Ｄ１＋約５ｍｓで決定されればよい。効果的なハース効果のために、ディレー値Ｄ１は、５ｍｓ−１５ｍｓの間で決定されねばならない。
【００５０】
ミキシングゲインＣ１，Ｃ２は、センターチャンネル信号のゲインと他のチャンネル信号のゲインとが大きい差がないように決定される。
【００５１】
式（１６）及び式（１７）は、ミキシングゲインを決定するための二つの実施形態である。ここで、αは、１以下の定数として決定され、約０．７であるとき、ミキシングされたセンターチャンネルの信号と元来のセンターチャンネルの信号との音量が類似する。また、式（１７）は、ミキシングゲインＣ２をゼロとしたとき、ミキシングゲインを決定する一実施形態である。βは、１以下の定数として決定される。
【００５２】
Ｃｏｕｔ＝［１−α］Ｃ
Ｌｏｕｔ＝［１−α］ＳＬ＋αＣ
Ｒｏｕｔ＝［１−α］ＳＲ＋αＣ            （１６）
ＳＬｏｕｔ＝［１−α］ＳＬ＋αＣ
ＳＲｏｕｔ＝［１−α］ＳＲ＋αＣ
Ｃｏｕｔ＝［１−β］Ｃ
Ｌｏｕｔ＝［１−β］ＳＬ＋βＣ
Ｒｏｕｔ＝［１−β］ＳＲ＋βＣ              （１７）
ＳＬｏｕｔ＝［１−β］ＳＬ
ＳＲｏｕｔ＝［１−β］ＳＲ
本発明は、前述した実施形態に限定されず、本発明の思想内で当業者による変形が可能であることはいうまでもない。
【００５３】
また、本発明は、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。コンピュータで読み取り可能な記録媒体の例としては、ＲＯＭ（リードオンリメモリ）、ＲＡＭ（ランダムアクセスメモリ）、ＣＤ−ＲＯＭ、磁気テープ、ハードディスク、フロッピー（登録商標）ディスク、フラッシュメモリ、光データ保存装置などがあり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。
【産業上の利用可能性】
【００５４】
本発明は、ホームシアターシステム関連の技術分野に適用可能である。
【図面の簡単な説明】
【００５５】
【図１】通常的なセンター音のミキシング方式で聴取者の位置によって表れる時間遅延信号の効果を説明した概念図である。
【図２】本発明によるマルチチャンネル信号の再生方法の概念図である。
【図３】本発明によるマルチチャンネルスピーカシステムのブロック図である。
【図４】図３のミキシング処理部の一実施形態を示す図である。
【図５】通常的なハース効果を数式で表したグラフである。
【図６Ａ】左右スピーカ及びセンタースピーカを使用するとき、聴取者の位置による音像移動及び音像正位を計算するための配置図である。
【図６Ｂ】左右スピーカ及びセンタースピーカを使用するとき、聴取者の位置による音像移動及び音像正位を計算するための配置図である。
【符号の説明】
【００５６】
３１０    デコーダ
３２０    制御部
３３０    ミキシング処理部
【図１】
0005410682.tif 000007
【図２】
0005410682.tif 000008
【図３】
0005410682.tif 000009
【図４】
0005410682.tif 000010
【図５】
0005410682.tif 000011
【図６Ａ】
0005410682.tif 000012
【図６Ｂ】
0005410682.tif 000013